(57)【特許請求の範囲】
【請求項１】
前後の移動により開閉される引出しの前面部が補助的な収納部として構成されている補助収納部を有する引出し構造であって、前記前面部に第一の取手を備えた前面開口枠の開口部を隠蔽可能な前面板を有する補助収納部が、前記引出しの開閉のための前後移動とは独立して開閉され、補助収納部の前記開口部を閉塞する閉位置で前面開口枠と係止し、手動で該係止を解除して補助収納部を開放可能とするロック機構を前記前面板に設けられた第二の取手の底面に設けることを特徴とする補助収納部を有する引出し構造。
【請求項２】
前記補助収納部は前面板の背面側に厚みを利用した空間が収納保持部として構成されていることを特徴とする請求項１に記載の補助収納部を有する引出し構造。
【請求項３】
前記前面板の背面側に、平面視四方が囲まれて上方が開放されている箱状の収納保持部が設けられている請求項１に記載の補助収納部を有する引出し構造。
【請求項４】
前記前面板の背面側に、底板とその両側に配置される側板とによって、上方と後方が開放されている収納保持部が設けられている請求項１に記載の補助収納部を有する引出し構造。
【請求項５】
前記補助収納部は揺動運動によって開閉される請求項１ないし４に記載の補助収納部を有する引出し構造。
【請求項６】
前記補助収納部は前後運動によって開閉される請求項１ないし４に記載の補助収納部を有する引出し構造。
【発明の詳細な説明】
【０００１】
【発明の属する技術分野】
本発明は、前後の移動により開閉される引出しに関する。
【０００２】
【従来の技術】
従来より、多種の収納物を前後移動によって取り出し可能に隠蔽収容するために引出しが使用されており、この種の引出しは、収納される収用物の大きさや種類によって各種構造のものが採用されている。
【０００３】
例えば、小物を収納する引出しは浅い構造に構成され、大物を収納する引出しは深い構造で構成されており、これらの引出しの収納部内に収納される収納物は、引出しの収納部内に例えば仕切り板等を配置して整理して収容することにより、引出しを引出した際に容易に取り出すことができるようになっている。
【０００４】
【発明が解決しようとしている課題】
このように内部が仕切られた収納部内に収納される収納物は、比較的使用頻度の高いものを手前側に収納するように配置することにより、引出しを大きく引き出さずに取り出すことができるように工夫がされている。ところが、取り出された収納物は元の位置に戻されずに、別の仕切り部内に戻されることもあり、収納部内の手前側に折角整列されて収納されていても別の仕切り部内に戻されてしまうと、使用頻度の低い収納物と混在するため探し出す手間が掛かり結果的に収納物を取り出すのに時間がかかる不便さを有していた。
【０００５】
本発明は、このような問題点に着目してなされたもので、引出し本体を引き出すことなく、使用頻度の高い収納物を容易に収納し、または取り出すことができる補助収納部を有する引出し構造を提供することを目的とする。
【０００６】
【課題を解決するための手段】
上記目的を達成するために、本発明の補助収納部を有する引出し構造は、前後の移動により開閉される引出しの前面部が補助的な収納部として構成されている補助収納部を有する引出し構造であって、前記前面部に第一の取手を備えた前面開口枠の開口部を隠蔽可能な前面板を有する補助収納部が、前記引出しの開閉のための前後移動とは独立して開閉され、補助収納部の前記開口部を閉塞する閉位置で前面開口枠と係止し、手動で該係止を解除して補助収納部を開放可能とするロック機構を前記前面板に設けられた第二の取手の底面に設けることを特徴としている。
この特徴によれば、引出し本体を前後移動することなく、補助収納部を開閉するだけで、使用頻度の高い収納物を容易に収納し、または取り出すことができる。また、補助収納部の取手の底部に設けたロック機構により、この補助収納部が開口部を閉塞する閉位置で前面開口枠と係止すれば、引出しを単独で使用する際でも補助収納部の取手を使用して引き出すことができる。
【０００７】
本発明の補助収納部を有する引出し構造は、前記補助収納部は前面板の背面側に厚みを利用した空間が収納保持部として構成されていることを特徴としている。
この特徴によれば、補助収納部のためのスペースを前面板の板厚内で納めることが可能である。
【０００８】
上記補助収納部を有する引出し構造において、前記前面板の背面側に、平面視四方が囲まれて上方が開放されている箱状の収納保持部が設けられていることが好ましい。
このようにすれば、縦長の容器等も開閉時に落ちることなく確実に収納できる。
【０００９】
上記補助収納部を有する引出し構造において、前記前面板の背面側に、底板とその両側に配置される側板とによって、上方と後方が開放されている収納保持部が設けられていることが好ましい。
このようにすれば、引出しの内部側に出っ張るようなしゃもじ、おたまのような調理具であっても前面板の背面に吊り下げることができる。
【００１０】
上記補助収納部を有する引出し構造において、前記補助収納部は揺動運動によって開閉されるようになっていることが好ましい。
このようにすれば、揺動可能に構成されているので、片側のみを開閉するだけで、大きく開口させることができる。
【００１１】
上記補助収納部を有する引出し構造において、前記補助収納部は前後運動によって開閉されるようになっていることが好ましい。
このようにすれば、使用頻度の高い、特に横に倒すことが適さない収納物を、少ない前後移動量で出し入れを行うことができる。
【００１２】
【発明の実施の形態】
以下、本発明の実施例を図１〜図７に基づいて説明する。
【００１３】
先ず図１は、流し台に設けられた第１実施形態に係る補助収納部を有する引出し構造の断面図であって、（ａ）は補助収納部が開放された状態を示し、（ｂ）は補助収納部が閉塞された状態を示す引出し構造の断面図、図２の（ａ）は補助収納部が開放された状態を示し、（ｂ）は補助収納部が閉塞された状態を示す引出し構造の斜視図であり、図３は裏面から視た補助収納部の斜視図である。
【００１４】
図１〜図３により本発明の第１実施形態に係る補助収納部を有する引出し構造に付き説明する。符号１は、天板２にシンク４、ガス台（不図示）などを備えた流し台を示し、この流し台１の前面には、上下に引出し５、６が引出し可能に収容されている。
【００１５】
上部の引出し５は、シンク４の手前側に配置されておりその収納部はシンク４の前面空間ないし下部空間が利用されており、下部の引出し６は、上部引出し５の直下に配置されている。
【００１６】
上部の引出し５は、収納物を収納する収納部である収納箱８と、該収納箱８の前端に取付けられた四角形状の前面開口枠１０と、該前面開口枠１０内に前面開口枠１０の開口部を隠蔽すべく下端が下方枠に枢軸１４ｂ、１４ｂ（図３参照）を介して揺動可能に枢着された補助収納部１４とから構成されている。
【００１７】
前面開口枠１０の上端には上部の引出し５を引出し操作する取手１２が設けられており、補助収納部１４は、前面開口枠１０内に枢軸１４ｂ、１４ｂを中心として開閉可能に枢着された前面板（板材）１４ａの上端に設けられた取手１６を手前に引くことで枢軸１４ｂ、１４ｂを中心として所定角度開放することができ、例えば包丁や小物が前面板１４ａの背面側に設けられている収納保持部１８に上方から出し入れ可能に収納できるようになっている。
【００１８】
そして、前面板１４ａは、シンク４前方に形成される浅い空間部をその厚みとして構成されており、補助収納部１４は、前面板１４ａの背面側に厚みを利用した空間が収納保持部１８として構成されている。そして、補助収納部１４は、閉塞時に前面開口枠１０の開口部が前面板１４ａによって隠蔽されるように前面開口枠１０の枢着部に係止された図示しないコイルばねを介して常時押圧付勢されている。また、前面板１４ａに収納のための空間部を設けることなく直接背面側に薄物を保持するようにして、前面板１４ａ閉塞時に収納物が前記開口部を通して引出し側に突出するようにしても良い。
【００１９】
尚、補助収納部１４は、前面開口枠１０の開口部を閉塞するために、前面板１４ａをコイルばねの付勢力で常時押圧付勢するようにしているが、図３に示すように、前面開口枠１０内の後方両側縁に縦長の磁性の板状ストッパ１０ａ、１０ｂを配置すると共に、補助収納部１４裏面の両側にこのストッパ１０ａ、１０ｂに対応するようマグネットＭ１、Ｍ２を配置するよう構成することもできる。
【００２０】
また、下部の引出し６は、図１の（ａ）、（ｂ）に示すように、上部の引出し５と同様に構成されており、収納物を収納する収納部である収納箱２０と、該収納箱２０の前端に取付けられた四角形状の前面開口枠２２と、該前面開口枠２２内に前面開口枠２２の開口部を隠蔽すべく下端が下方枠に枢軸（不図示）を介して揺動可能に枢着された補助収納部２４とから構成されている。
【００２１】
前面開口枠２２の上端には下部の引出し６を引出し操作する取手２５が設けられており、前面開口枠２２内に枢着された補助収納部２４は、前面板２４ａの上端に設けられた取手２６を手前に引くことで枢軸を中心として所定角度開放することができ、例えばスプーンやフォーク等の小物類が前面板２４ａの裏面側に設けられている収納保持部２８に上方から出し入れ可能に収納できるようになっている。
【００２２】
上記のように構成された補助収納部が採用された第１実施形態に係る引出し構造において、使用頻度の高い包丁や、布巾などを使用する際は、上部の引出し５を引き出すことなく、取手１６を手前に引くことで流し台１前面の上部に配置された引出し５の前面板１４ａは、枢軸１４ｂ、１４ｂを中心として前傾し所定角度開放される。
【００２３】
そこで、上部の引出し５を前後移動することなく、前面板１４ａの前傾によって、補助収納部１４内の包丁や小物は開放された上方から適宜取出し、使用後は元の補助収納部１４内に戻すことができる。なお、上部の引出し５の収納箱８内から収納物を出し入れする際は、取手１２を掴んで手前に引き出すことで容易に行うことができる。
【００２４】
次に、第２実施形態に係る補助収納部を有する引出し構造につき、図４を参照して説明する。なお、上記実施形態と同一構成のものは同一符号を付して重複する説明を省略する。
【００２５】
図４は第２実施形態に係る補助収納部を有する引出し構造の部分斜視図を示し、符号３０は、補助収納部３２を備えた引出しであって、この補助収納部３２は、前面板３２ａの裏面側に設けられている収納保持部３４によって構成される。
【００２６】
この収納保持部３４は、第１実施形態の補助収納部１４よりは奥行きが深く厚みを有する構成で、底板３５ａとその両側に配置される側板３５ｂ、３５ｂによって平面視コ字形に形成されており、上方と後方が開放されて引出し内部と連通するよう構成されている。
【００２７】
上記のように構成された補助収納部３２では、例えば収納物として、泡立て器、しゃもじ、おたまのような長物の調理器を前面板３２ａの背面に突設された図示しない係止具に吊り下げて収容保持することができるようになっている。
【００２８】
次に、第３実施形態に係る補助収納部を有する引出し構造につき図５を参照して説明する。この実施形態でも重複する構成は省略して説明する。
【００２９】
図５は第３実施形態に係る補助収納部を有する引出し構造の部分斜視図を示し、符号３６は、補助収納部３８を備えた引出しであって、この補助収納部３８は、前面板３８ａの背面側に平面視四方が囲まれて上面が開放された箱形の収納保持部４０が設けられており、この収納保持部４０内には調味料容器や洗剤容器のような縦長の収納物としての容器等を収納することができるようになっている。
【００３０】
次に、前面板の取手内部に設けられたロック機構につき図６を参照して説明する。図６の（ａ）はロック状態にあるロック機構の部分断面図、（ｂ）はロックが解除された状態にあるロック機構の部分断面図である。
【００３１】
図６の（ａ）、（ｂ）に示すように、収納保持部４０を裏面に設けた前面板３８ａの取手１６内部には、前面開口枠１０に対し閉塞状態を保持するロックするロック機構４２が組み込まれている。
【００３２】
取手１６は、前面板３８ａの上端前面が断面コ字形に凹設されていて、その底面１６ａに貫通形成された角穴１６ｂ内に周縁にフランジ４４ａが形成された箱体４４が装着されており、箱体４４内には取手１６の長手方向に沿って回転可能に支持される回転軸４５に操作ノブ４６が固定され、操作ノブ４６の下面は板ばね４８によって反時計方向に付勢されている。
【００３３】
回転軸４５は、補助収納部３８を備えた前面板３８ａの両側面から若干突設しており、これら突設した回転軸４５には、前面板３８ａの両側面と前面開口枠１０の内側面とで形成される僅かな隙間に、先端に係止爪５０ａを形成した板状のフック５０が固定されている。
【００３４】
これらフック５０の係止爪５０ａに対応して前面開口枠１０の内側面に係止片５２が突設しており、前面板３８ａを閉じた際にフック５０の係止爪５０ａが板ばね４８の付勢力により弾力的に係止され、前面板３８ａの閉塞状態が保持されるようになっている。
【００３５】
ここで、上記のように構成されたロック機構の作用に付き説明する。図６の（ａ）に示すように、前面板３８ａの閉塞状態のときは、板ばね４８によって上方に付勢されるフック５０の係止爪５０ａは、板ばね４８の付勢力によって両係止片５２に係止された状態となっている。
【００３６】
次いで、操作ノブ４６が板ばね４８の付勢力に抗して矢印方向（図６ｂ）に押圧されて、フック５０が時計回りに揺動し両係止片５２から係止爪５０ａが解除されと、前面板３８ａはフリーな状態となり、枢軸１４ｂ、１４ｂを中心として前傾し補助収納部３８を所定角度開放することができる。
【００３７】
一方、前面板３８ａを閉じる場合は、開放状態から枢軸１４ｂ、１４ｂを中心として揺動させて、前面板３８ａが前面開口枠１０の開口部内に移動すると、フック５０の係止爪５０ａが両係止片５２を乗り越えて両係止片５２に係合し、同時に前面板３８ａ裏面の両側が板状ストッパ１０ａ、１０ｂ（図３参照）との当接により位置決めされ、前面板３８ａの閉塞状態が保持される。
【００３８】
従って、このように、補助収納部３８の取手１６の内部にロック機構を設けることにより、この補助収納部３８が閉位置で保持されるので、補助収納部３８だけでなく、引出し３６を単独で使用する際でも補助収納部３８の取手１６を使用して引き出すことができる。
【００３９】
次に、第４実施形態に係る補助収納部を有する引出し構造につき図７を参照して説明する。この実施形態でも重複する構成は省略して説明する。
【００４０】
図７は第４実施形態に係る補助収納部を有する引出し構造の部分斜視図を示し、符号５４は、補助収納部５６を有する引出しであって、この補助収納部５６は、横幅が引出し５４の内幅より若干幅狭となる箱形の収納保持部５８が前面板５６ａの裏面に形成されたており、両側壁には引出し５４の内部に延びる上下一対のレール６２ａ、６２ｂが平行に取付けられており、引出し５４の両内壁の前後に突設して回転自在に軸支された４個の案内支持ローラ６０の上下に両レール６２ａ、６２ｂが支持されて補助収納部５６が前方に往復移動可能に案内されて所定量開放可能に構成されている。
【００４１】
このように構成された、本実施形態に係る引出し構造によれば、取手１６を手前に引いた際に補助収納部５６が前方に所定量移動し、後方の案内支持ローラ６０が両レール６２ａ、６２ｂ後端のストッパ６４に当接することで補助収納部５６が所定量開放されるので、箱形の収納保持部５８内に収容されている横に倒すことが不向きな小物類を容易に取り出し、または収納することができる。
【００４２】
【発明の効果】
本発明によれば、次のような効果が得られる。
【００４３】
（ａ）請求項１に記載の発明によれば、引出し本体を前後移動することなく、補助収納部を開閉するだけで、使用頻度の高い収納物を容易に収納し、または取り出すことができる。また、補助収納部の取手の底部に設けたロック機構により、この補助収納部が開口部を閉塞する閉位置で前面開口枠と係止すれば、引出しを単独で使用する際でも補助収納部の取手を使用して引き出すことができる。
【００４４】
（ｂ）請求項２に記載の発明によれば、補助収納部のためのスペースを前面板の板厚内で納めることが可能である。
【００４５】
（ｃ）請求項３に記載の発明によれば、縦長の容器等も開閉時に落ちることなく確実に収納できる。
【００４６】
（ｄ）請求項４に記載の発明によれば、引出しの内部側に出っ張るようなしゃもじ、おたまのような調理具であっても前面板の背面に吊り下げることができる。
【００４７】
（ｅ）請求項５に記載の発明によれば、揺動可能に構成されているので、片側のみを開閉するだけで、大きく開口させることができる。
【００４８】
（ｆ）請求項６に記載の発明によれば、使用頻度の高い、特に横に倒すことが適さない収納物を、少ない前後移動量で出し入れを行うことができる。
【図面の簡単な説明】
【図１】流し台に設けられた第１実施形態に係る補助収納部を有する引出し構造の断面図であって、（ａ）は補助収納部が開放された状態を示し、（ｂ）は補助収納部が閉塞された状態を示す引出し構造の断面図である。
【図２】（ａ）は補助収納部が開放された状態を示し、（ｂ）は補助収納部が閉塞された状態を示す引出し構造の斜視図である。
【図３】裏面から視た第１実施形態に係る補助収納部の斜視図である。
【図４】第２実施形態に係る補助収納部を有する引出し構造の部分斜視図である。
【図５】第３実施形態に係る補助収納部を有する引出し構造の部分斜視図である。
【図６】（ａ）はロック状態にあるロック機構の部分断面図、（ｂ）はロックが解除された状態にあるロック機構の部分断面図である。
【図７】第４実施形態に係る補助収納部を有する引出し構造の部分斜視図である。
【符号の説明】
１                                      流し台
２                                      天板
４                                      シンク
５、６、３０、３６、５４                引出し
８                                      収納箱
１０、２２                              前面開口枠
１０ａ、１０ｂ                          板状ストッパ
１２、１６、２５、２６                  取手
１４、２４、３２、３８、５６            補助収納部
１４ａ、２４ａ、３２ａ、３８ａ、５６ａ  前面板（板材）
１４ｂ                                  枢軸
１６ａ                                  底面
１６ｂ                                  角穴
１８、２８、３４、４０、５８            収納保持部
２０                                    収納箱
３５ａ                                  底板
３５ｂ                                  側板
４２                                    ロック機構
４４                                    箱体
４４ａ                                  フランジ
４５                                    回転軸
４６                                    操作ノブ
５０                                    フック
５０ａ                                  係止爪
５２                                    係止片
６０                                    案内支持ローラ
６２ａ、６２ｂ                          レール
６４                                    ストッパ
Ｍ１、Ｍ２                              マグネット
【図１】
0003958965.tif 000002
【図２】
0003958965.tif 000003
【図３】
0003958965.tif 000004
【図４】
0003958965.tif 000005
【図５】
0003958965.tif 000006
【図６】
0003958965.tif 000007
【図７】
0003958965.tif 000008